(57)【要約】【課題】排気を拡散させることで排気流速を低下させ、周囲の塵埃等が舞い上がるのを抑制でき、排気を拡散させる拡散部材を枠状部材より外れないように強固に固定する。  【解決手段】掃除機本体１は、ケースアッパー８とケースカバー９との間に電動送風機４の排気を外部に排気する排気口を形成すると共に、排気口に、排気下流側を布材２２にて覆った排気枠部材１３を配設し、排気枠部材１３は、ケースアッパー８とケースカバー９と対向する外周部の排気下流側位置に外周側に向かって突出形成した段差部２２をケースアッパー８とケースカバー９との間に挟持し、排気枠部材１３の段差部２２より排気上流側部分を布材２０の接着部２３とする。【選択図】図７
2010051458.tif 000002
【特許請求の範囲】
【請求項１】
電動送風機及び集塵室を有する掃除機本体を備え、
前記掃除機本体は、第１ケースと第２ケースとの間に前記電動送風機の排気を外部に排気する排気口を形成すると共に、前記排気口に、排気下流側を布材にて覆った排気枠部材を配設し、
前記排気枠部材は、第１ケース及び第２ケースと対向する外周部の排気下流側位置に外周側に向かって突出形成した段差部を第１ケースと第２ケースとの間に挟持し、前記排気枠部材の段差部より排気上流側部分を前記布材の接着部としたことを特徴とする電気掃除機。
【請求項２】
前記第１ケース及び第２ケースの少なくとも一方の前記排気枠部材との接触部には、前記接着部に向かって突出されたリブが形成されており、
前記リブの先端が前記布材を押さえることを特徴とする請求項１記載の電気掃除機。
【請求項３】
前記排気枠部材は少なくとも前記接着部の表面に梨地処理したことを特徴とする請求項１又は請求項２記載の電気掃除機。
【請求項４】
前記接着部に接着剤の少なくとも一部を充填することができる凹溝を形成したことを特徴とする請求項１から請求項３のいずれかに記載の電気掃除機。
【請求項５】
前記第１ケース又は第２ケースの少なくとも一方の前記段差部と対向する部分に、前記段差部に向けて突出する凸部を形成したことを特徴とする請求項１から請求項４のいずれかに記載の電気掃除機。
【請求項６】
前記段差部の先端部には前記第１ケース又は第２ケースに形成されている凸部を、前記布材ごと収容することができる凹部を形成したことを特徴とする請求項５に記載の電気掃除機。
【請求項７】
前記段差部の先端部に凸部を形成したことを特徴とする請求項１から請求項４のいずれかに記載の電気掃除機。
【請求項８】
前記第１ケース又は第２ケースの前記凸部と対向する部分には、内部に前記凸部を、前記布材ごと収納することができる凹部を形成したことを特徴とする請求項７に記載の電気掃除機。
【請求項９】
前記凸部は排気下流側から排気上流側に向かって突出量が増加する鋸歯形状を有していることを特徴とする請求項５から請求項８のいずれかに記載の電気掃除機。
【請求項１０】
前記布材よりも高い通気性を有する緩衝部材が、前記排気枠部材と前記布材との間に配置されていることを特徴とする請求項１から請求項９のいずれかに記載の電気掃除機。
【発明の詳細な説明】
【技術分野】
【０００１】
本発明は掃除機本体から排出される排気を分散させ、排気の流速を低減することができる電気掃除機に関する。
【背景技術】
【０００２】
電気掃除機は、電動送風機と集塵部を備えた掃除機本体を具備している。電気掃除機は電動送風機が駆動されることで、空気が集塵部に吸引される。集塵部には集塵用のフィルターが備えられており、フィルターによって、吸引された空気から塵埃が除去される。
【０００３】
近年、電気掃除機の吸入効率が向上してきている。それに伴って、電動送風機の駆動により吸引される空気の流量が多くなっている。掃除機本体より排出される空気の流量が大きくなっており、排気の流速も早くなっている。排気の流速が早くなることで、床面上の塵埃等が舞い上げられ、空間に浮遊する塵埃等がアレルギの原因になるなどの問題点が指摘されている。
【０００４】
排気の流速を抑制する方法として、排気が排出される排気口の面積を大きくする方法が提案されている。そして、排気が排気口より均一化に排出されるように、排気口に、排気下流側を布材で覆った排気枠部材を取り付ける構成が提案されている。
【０００５】
前記排気枠部材として、例えば、特開２００３−２１９９８９号公報に記載の構成が提案されている。特開２００３−２１９９８９号公報に記載の構成では、布材は排気口に取り付けられる排気枠部材に外周を溶着等により固定している。
【特許文献１】特開２００３−２１９９８９号公報
【発明の開示】
【発明が解決しようとする課題】
【０００６】
しかしながら、排気枠部材は、掃除機本体の外観の一部を構成するため、構成が複雑になり、布材を溶着にて固定する場合、布材の貼り付けが難しい問題がある。また、排気の流速を低減させるために、排気枠部材を大きく形成することが好ましいが、排気枠部材を大きく形成すると、布材が手や壁面等により擦られた際に、布材にしわが発生しやすい問題がある。
【０００７】
本発明は、上記問題に鑑みなされたもので、耐久性の高い排気口を有する電気掃除機を提供することを目的とする。
【課題を解決するための手段】
【０００８】
上記課題を解決するため本発明は、電動送風機及び集塵室を有する掃除機本体を備え、前記掃除機本体は、第１ケースと第２ケースとの間に前記電動送風機の排気を外部に排気する排気口を形成すると共に、前記排気口に、排気下流側を布材にて覆った排気枠部材を配設し、前記排気枠部材は、第１ケース及び第２ケースと対向する外周部の排気下流側位置に外周側に向かって突出形成した段差部を第１ケースと第２ケースとの間に挟持し、前記排気枠部材の段差部より排気上流側部分を前記布材の接着部としたことを特徴とする。
【０００９】
この構成によると、掃除機本体より排出される排気は排気枠部材にて拡散され、排気流速が低速化されて排出される。これにより、掃除機本体の周囲に分布された（堆積された）塵埃が巻き上げられるのを抑制することができる。
【００１０】
また、排気枠部材は段差部を第１ケースと第２ケースとの間で挟持され、布材は周縁部が接着部に接着されて枠状部材に固定されているので、接着時の接着剤の塗布量がばらついてしまっても、布材が枠状部材からはがれるのを抑制することができる。これにより、布材が枠状部材からはがれた隙間より排気が漏れるのを抑制することができ、排気流速が速くなるのを抑制することができる。
【００１１】
さらに、第１ケース、第２ケース及び排気枠部材を組み立てたときに、接着部が掃除機本体の外観上、見えない内側位置に配置される。これにより、掃除機本体が壁、家具等に接触した場合であっても、布材と枠状部材との接着部に直接接触することがなく、布材が枠状部材より外れるのを抑制することができると共に、外観の悪化を抑制できる。
【００１２】
上記構成において、前記第１ケース及び第２ケースの少なくとも一方の前記排気枠部材との接触部には、前記接着部に向かって突出されたリブが形成されており、前記リブの先端が前記布材を押さえていてもよい。
【００１３】
布材がリブと接着部とで挟持することにより、接着のばらつき、排気の熱及び経時変化等により布材と接着部との接着力が弱くなった場合であっても、布材が枠状部材からずれたり、脱落したりするのを抑制することができる。これにより、排気漏れを抑制し、安定して排気流速を低速化することが可能である。
【００１４】
上記構成において、前記接着部に梨地処理及び（又は）凹溝が形成されているものであってもよい。この構成によると、接着部と接着剤との接触面積が大きくすることができる。これにより、布材と接着部とを強固に接着することが可能であり、布材が枠状部材よりずれたり、脱落したりするのを抑制することができる。接着剤として、たとえばホットメルトのような粘度の高い接着剤を広く採用することができる。粘度が高い接着剤を用いることで、接着剤が布材に浸透するのを抑制することができる。
【００１５】
上記構成において、前記ケースロアー又は前記ケースカバーの少なくとも一方の前記段差部と対向する部分には、前記段差部に向けて突出する凸部が形成されていてもよい。凸部が形成されていることで、布材が第１ケース及び（又は）第２ケースとで挟むときの押さえつけ力が大きくなり、上述のように布材と接着部との接着力が弱くても、布材が枠状部材からずれたり、脱落したりするのを抑制することができる。
【００１６】
前記段差部の先端部に凸部が形成されていてもよい。第１ケース及び（又は）第２ケースに凸部が形成されている場合と同様に、布材がずれたり、脱落したりするのを抑制することができる。
【００１７】
前記凸部として、例えば、前記排気枠部材の排気下流側から排気上流側に向かって突出量が増加する鋸歯形状のものを挙げることができる。上述のように凸部が鋸歯形状で形成されていることで、布材の凸部と接触している部分が排気下流側に移動しにくく、布材がずれたり、たるんだりするのを抑制することができる。
【００１８】
上記構成において、前記第１ケース及び（又は）第２ケースに凸部が形成されている場合、段差部の先端部に第１ケース及び（又は）第２ケースに形成されている凸部を、布材ごと収容することができる凹部が形成されていてもよい。凸部と凹部とで挟み込まれることで、摩擦力が強くなるので、布材が枠状部材からずれるのを抑制することができる。
【００１９】
上記構成において、前記段差部に凸部が形成されている場合、第１ケース及び（又は）第２ケースの前記段差部と対向する部分に前記凸部を、前記布材ごと収容することができる凹部が形成されていてもよい。上述の場合と同様に、凸部と凹部とで挟み込まれ、摩擦力が強くなり、布材が枠状部材からずれるのを抑制することができる。
【００２０】
上記構成において、前記布材よりも高い通気性を有する緩衝部材が枠状部材と布材との間に配置され、前記枠状部材に固定されていてもよい。緩衝部材が取り付けられていることで、掃除機本体が移動するときに、排気枠部材が壁や家具の脚等との接触により、枠状部材に作用する衝撃を緩和することができる。衝撃により枠状部材が破損してしまうのを抑制することができる。布材及び緩衝部材として、難燃性の材料で作製されるものを採用することができる。
【発明の効果】
【００２１】
本発明によると、排気を拡散させることで排気流速を低下させ、周囲の塵埃等が舞い上がるのを抑制できる電気掃除機を提供することができる。
【発明を実施するための最良の形態】
【００２２】
本発明の最良の実施形態について図面を参照して説明する。
（第１実施形態）
図１は本発明にかかる掃除機本体の側面図であり、図２は図１に示す掃除機本体の側断面図であり、図３は図１に示す掃除機本体を横方向に切断した断面を前方から見たときの断面図であり、図４は図１に示す掃除機本体の蓋部を開いた状態の前面側から見た斜視図である。
【００２３】
掃除機本体１は、前部に蓋体２により開閉自在な集塵室３が形成され、後部に電動送風機４が収納されている。集塵室３には、集塵容器５が着脱自在に収納されている。掃除機本体１の前部には、集塵室３に連通する吸入部６が形成され、吸入部６に図示しないホースが着脱自在に接続される。ホースには、図示しない延長パイプを介して床用吸込具が着脱自在に接続される。
【００２４】
掃除機本体１の各部について、詳細に説明する。図１〜図４に示すように、掃除機本体１は、下部に配置されたケースロアー７と、ケースロアー７の上部に装着されたケースアッパー８と、ケースアッパー８の上部に装着されるケースカバー９と、ケースカバー９の上部に装着されるカバー部材１０等を備えており、電動送風機４は、ケースロアー７とケースアッパー８にて囲まれる空間に収納されている。１１は電動送風機４を覆うモータカバーで、上部に後述する排気フィルター１８のフィルター収納室１７に連通する上方開口部１２を形成している。ケースアッパー８（第１ケース）とケースカバー９（第２ケース）との間には、電動送風機４の排気を外部に排気する排気口が形成されており、排気口には、ケースアッパー８とケースカバー９との間に排気枠部材１３が挟持されて配設されている。
【００２５】
ケースアッパー８の外周部には、上面に排気枠部材１３の下部が支持される支持部１４が形成されると共に、ケースカバー９の外周部には、下部に排気枠部材１３の上部を押さえる押さえ部１５が形成されており、排気枠部材１３はケースアッパー８の支持部１４とケースカバー９の押さえ部１５との間で挟持固定される。
【００２６】
ケースアッパー８の外周とケースアッパー８の支持部１４とケースカバー９の押さえ部１５と排気枠部材１３とで囲まれる空間に排気室１６が形成されている。
【００２７】
ケースアッパー８とケースカバー９とカバー部材１０とで囲まれる空間に、前記モータカバー１１の開口に連通するフィルター収納室１７が形成されており、前記フィルター収納室１７には、リング状に形成されたプリーツ状の排気フィルター１８が収納されている。フィルター収納室１７は、排気室１６に連通しており、電動送風機４の排気が排気フィルター１８により浄化されて排気室１６に至り、排気枠部材１３を介して掃除機本体１の外部に排気されるようになっている。
【００２８】
本発明の主要部である排気枠部材１３の詳細について図面を参照して説明する。図５は図１に示す掃除機本体１に備えられている排気枠部材１３の正面図であり、図６は図５に示す排気枠部材１３の平面図であり、図７は排気枠部材１３が掃除機本体１に取り付けられた状態の拡大断面図である。
【００２９】
排気枠部材１３は空気が通過する枠組み形状の枠状部材１９と、枠状部材１９を空気が通過するときに空気の下流となる部分を覆うように配置された布材２０とを有している。枠状部材１９は樹脂の一体成型品であり、図５、図６、図７に示すように、複数個の通気孔２１が形成されている。通気孔２１は実施形態には限定されないが四角形状に形成されている。通気孔２１は上下左右に配列されて形成されている。なお、図４において、通気孔２１は横方向に並んで配置されているとともに、縦方向にはずれて形成されている。このようにずれて形成されていることで、縦枠がずれて形成されるので枠状部材１９の強度を確保することができる。
【００３０】
２２は、枠状部材１９のケースアッパー８の支持部１４及びケースカバー９の押さえ部１５と対向する外周部分に、外周方向に向かって突出形成された段差部で、枠状部材１９の下流側位置に形成されている。枠状部材１９の外周部分の段差部２２より上流側部分には、布材２０が接着される接着部２３が形成されており、接着部２３には、表面を粗面とする、所謂梨地仕上げ処理が施されている。また、接着部２３には、長手方向（周方向）に凹溝２４が形成されている。
【００３１】
布材２０は枠状部材１９の空気の流れ下流側を覆うように配置されて、枠状部材１９に貼り付けられている。布材２０として、ここでは、難燃性の繊維で織られた布材を用いている。また、布材２０として、清潔性を向上するために、抗菌加工を施したものを用いても良い。さらに、本実施形態では、後述する如く、枠状部材１９と布材２０との間に緩衝部材２５として発泡ウレタンを用いているが、発泡ウレタンは、水により比較的劣化しやすいため、撥水加工を施すことが好ましい。
【００３２】
布材２０は貼り付けの強度を確保し、枠状部材１９からずれたり、浮いたりする不具合が発生するのを抑制するために、伸びないもの或いは伸びにくいものが好ましい。しかしながら、掃除機本体１の外装の一部を構成する枠状部材１９が曲面で構成されて、複雑な形状に形成されているので、布材２０として伸びない或いは伸びにくい材料を用いた場合、貼り付けが困難となり、しわが寄るなど製品のしあがりにばらつきが生じる。
【００３３】
そこで、布材２０が枠状部材１９に貼り付けたられたときの長手方向に伸びにくく、短手方向には伸びるものであることが好ましい。長手方向に伸びにくいので、布材２０の変形量を抑えることができ、製品の仕上がりのばらつきを抑制できる。また、短手方向には伸びるため、枠状部材１９の形状が複雑であっても、布材２０の枠状部材１９への貼り付けが容易となるとともに、布材２０を貼り付けた状態で布材にしわがよりにくい。
【００３４】
布材２０は、布材２０が段差部２２に密着されるとともに、布材２０の周縁部が接着部２３に接着剤Ａｈにて接着されて貼り付けられている。接着部２３には凹溝２４が形成されており、接着剤Ａｈが凹溝２４に流入するので接着剤Ａｈと接着部２３との接触面積が多くなり、それだけ、接着部２３と布材２０との接着強度を上げることができる。さらに、接着部２３には梨地処理を施しているため、接着部２３と布材２０の一層接着強度を上げることができる。
【００３５】
接着剤Ａｈとしては、粘度の高いホットメルト接着剤が用いられている。ホットメルト接着剤を用いることで、接着剤が布材２０の段差部２２側に染み込むのを抑制することができる。段差部２２は、布材２０を介してケースアッパー８の支持部１４及びケースカバー９の押さえ１５と当接するが、布材２０の段差部２２部分に接着剤が染み込んだ場合、接着剤が染み込んだ部分と染み込んでいない部分とで支持部１４や押さえ部１５との当接状態が異なり、空気が漏れる隙間が形成される虞があり、布材２０の段差部２２側に接着剤が染み込むのを防止することにより、隙間の形成を抑制することができる。接着剤としては、ホットメルト接着剤には限定されるものではなく、粘度が高く、浸潤性の低い接着剤を広く採用することができる。
【００３６】
図７に示すように、布材２０と枠状部材１９との間に緩衝部材２５が取り付けられている。緩衝部材２５は枠状部材１９に適数箇所で接着剤により接着され、緩衝部材２５が移動するのを抑制している。このように、緩衝部材２５が取り付けられていることで、掃除機本体１が壁面、家具の脚等に接触した場合であっても、その衝撃を緩衝部材２５で吸収することができるので、掃除機本体１及び掃除機本体が接触した壁面等の物体の両方が破損したり、傷ついたりするのを抑制することができる。緩衝部材２５としては、ここでは難燃性を有する発泡ウレタンが採用されている。また、これに限定されるものではなく、衝撃吸収性を有する物質で形成されており、空気の流れを通過させることができるものが好ましい。なお、枠状部材１９と布材２０とを接着する接着剤Ａｈと、枠状部材１９と緩衝部材２５とを接着する接着剤とは同じものであっても、異なるものであってもよい。
【００３７】
さらに、枠状部材１９の外周部の支持部１４と対向する部分には、支持部１４に形成されている（図示を省略した）係合部に挿入される係合爪部２６が複数個突出形成されている。また、枠状部材１９の外周部の押さえ部１５と対向する部分には、押え部１５の内部側と係合する係合部２７が突出形成されている。
【００３８】
排気枠部材１３の掃除機本体１への組み付けは以下のようにして行われる。まず、ケースアッパー８とケースカバー９とが分解されている状態で、ケースアッパー８の支持部１４に形成された係合部（不図示）に係合爪部２６を挿入させ、排気枠部材１３を支持部１４の上部に配置する。そして、係合部２７をケースカバー９の押さえ部１４の内部側と係合させ、排気枠部材１３をケースカバー９で押さえる。図７に示すように、排気枠部材１３は、段差部２２の上下の先端部が布材２０を介して支持部１４と押さえ部１５との間で挟持されている。
【００３９】
このように組み立てられることで、接着部２３が掃除機本体１の内側に配置されているので、枠状部材１９と布材２０との接着端面が外観上見えなくなり、掃除機本体１の意匠性も高めることが可能である。また、枠状部材１９と布材２０との接着端面が掃除機本体１の内側に配置されることで、接着端面が壁面や家具の脚等に接触するのを抑制することができ、布材２０の接着部が枠状部材１９から剥がれたりするのを抑制することができる。
【００４０】
また、排気枠部材１３は、段差部２２の上下の先端部が布部材２０を介して支持部１４と押さえ部１５との間で挟持されているので、布材２０に加わる力は、接着部２３との接着部分に加わりにくくなり、布材２０の接着部が枠状部材１９から剥がれたりするのを抑制することができる。
【００４１】
以下に、電気掃除機の動作について説明する。まず、電動送風機４が駆動されると、空気が吸引される。これにより、吸入部６より吸入された空気が、吸入部６と連通された集塵ケース５に流入する。集塵ケース５にはフィルターが備えられており、空気はフィルターを通過するときに、空気に含まれる塵埃がフィルターによって除去される。塵埃は集塵ケース５に堆積され、空気は電動送風機４に吸引される。
【００４２】
電動送風機４に吸引された空気は、電動送風機４を冷却し、モータカバー１１の上方開口部１２からフィルター収納室１８に導かれ、排気フィルター１７を通過する。空気は排気フィルター１７を通過する際に、より確実に塵埃等の微粒子を濾過される。
【００４３】
排気フィルター１７より流出された空気は、排気室１６に流入し、排気室１６内に拡散する。そして、空気は排気枠部材１３を通過されるときに、排気枠部材１３にて拡散され、流速が均一化されるとともに、低速化されて掃除機本体１の外部に排気される。
【００４４】
このように、掃除機本体１の排気が面積の広い排気室１６に導かれるので、排気圧が低減し、排気風速を低減できる。また、布材２０を用いることにより、布材２０の織り目の微細な孔が排気の出口となり、排気面積が増大するため、排気速度を低減することができる。これにより、掃除機本体１より排出される排気によって、掃除機本体１の周囲の塵埃が舞い上げられるのを抑制することが可能である。また、排気流速を低減することができるので、風切り音を低下させ掃除機本体１の動作時に発生する音を低減することが可能である。
（第２実施形態）
本発明にかかる電気掃除機の他の例について図面を参照して説明する。図８は本発明にかかる排気枠部材が取り付けられた状態の拡大断面図である。図８に示す掃除機本体１はケースアッパー８ｂ及びケースカバー９ｂが異なる以外は図１等に示す第１実施形態の掃除機本体１と同様の構成を有しており、実質上同じ部分には同一の符号が付してある。また、第１実施形態の掃除機本体１と同じ構成の部分に関する詳細な説明は省略する。
【００４５】
図８に示すように、ケースアッパー８ｂの支持部１４には、枠状部材１９の外周部に向かって突出されたアッパーリブ２９が形成されている。また、ケースカバー９ｂの押さえ部１５には、枠状部材１９の外周部に向かって突出されたカバーリブ２９が形成されている。
【００４６】
排気枠部材１３の掃除機本体１への組み付けは以下のようにして行われる。まず、ケースアッパー８ｂとケースカバー９ｂとが分解されている状態で、ケースアッパー８ｂの支持部１４に形成された係合部（不図示）に係合爪部２６を挿入させ、アッパーリブ２８が接着部２３に接着された布材２０を押さえるように排気枠部材１３を支持部１４の上部に配置する。そして、係合部２８をケースカバー９ｂの押さえ部１５の内部側と係合させると共に、カバーリブ２９が接着部２３に接着された布材２０を押さえるようにケースカバー９ｂを配置する。そして、ケースアッパー８ｂとケースカバー９ｂとをねじ等を用いて固定することで組みつけが完了する。
【００４７】
排気枠部材１３は、段差部２２の上下の先端部が布部材２０を介して支持部１４と押さえ部１５との間で挟持されているので、布材２０に加わる力は、接着部２３との接着部分に加わりにくくなり、布材２０の接着部が枠状部材１９から剥がれたりするのを抑制することができる。
【００４８】
また、アッパーリブ２８とカバーリブ２９との間で、布材２０を介して排気枠部材１３の接着部２３間を挟持するので、接着部２３と布材２０との接着がはじめから不十分であった場合や、排気の熱や経時変化によって接着が弱くなった場合であっても、排気枠部材１３が段差部２２の上下の先端部が布部材２０を介して支持部１４と押さえ部１５との間で挟持されていることと相まって、一層布材２０が剥がれるのを抑制することができる。
【００４９】
さらに、アッパーリブ２８と段差部２２とが重合し、カバーリブ２９と段差部２２とが重合しているので、ケースアッパー８ｂと排気枠部材１３との間及びケースカバー９bと排気枠体１３との間からの排気の漏れをより確実に抑制することができる。なお、アッパーリブ２８又はカバーリブ２９のいずれか一方が形成されているものであってもよい。
（第３の実施形態）
本発明にかかる電気掃除機のさらに他の例について図面を参照して説明する。図９は本発明にかかる排気枠部材の取付部の拡大断面図である。排気枠部材４ｃの段差部が異なる以外は図１等に示す第１実施形態の掃除機本体と同様の構成を有しており、実質上同じ部分には同一の符号が付してある。また、第１実施形態の掃除機本体１と同じ構成の部分に関する詳細な説明は省略する。
【００５０】
段差部２２の先端部に断面鋸歯形状の凸部３０が形成され、押さえ部１５には、凸部３０が布材２０と共に挿入される凹部３１が形成されている。凸部３０が断面鋸歯状であることによって、布材２０が枠状部材１９に貼り付けられたとき、凸部３０が布材２０に食い込む。これにより布材２０が枠状部材１９から剥がれたりするのを抑制することができる。また、突部３０が布材２０と共に凹部３１に挿入されるので、布材２０に排気圧等により排気下流側に引っ張る力や横方向に力が加わっても、その力が布材２０の接着部に加わりにくくなり、布材２０の剥がれを抑制することができる。
【００５１】
さらに、凸部３０が排気上流側に向かって立ち上がる形状を有しているので、接着が弱い状態で布材２０が排気圧や移動に伴って壁面等により排気下流側に引っ張られた場合であっても、布材２０が凸部３０に引っかかり、布材２０が枠状部材１９から剥がれたりするのを抑制することが可能である。
【００５２】
また、図１０は図９に示す凸部３０の他の例を示す拡大断面図である。図１０に示すように、排気枠部材１３ｄの段差部２２の先端部に凸部３２が形成されており、ケースカバー９ｄの押さえ部１５には凸部３２が布材２０とともに挿入される凸部３３が形成されている。
【００５３】
排気枠部材１３ｄの上側にケースカバー９ｄを取り付けたときに、凸部３２が布材２０とともに凹部３３に押し込まれる。このように、布材２０が凸部３２と凹部３３とで挟まれるので、布材２０が外側に引っ張られても、ずれたり、はがれたりする不具合が発生しにくい。
【００５４】
なお、凸部３２が、支持部１４と対向する部分に形成されており、支持部１４に凸部３２と係合する凹部が形成されていてもよい。凸部及び凹部は、断続的に形成されているものであってもよく、連続して形成されているものであってもよい。また、凸部として、ピン、ボスのような棒状のものでもよい。さらに、凸部が段差部に凹部が支持部１４及び（又は）押さえ部１５に形成されているものを例示しているが、それに限定されるものではなく、段差部２２に凹部が支持部１４及び（又は）押さえ部１５に凸部が形成されているものであってもよい。
（第４の実施形態）
本発明にかかる電気掃除機の他の例について図面を参照して説明する。図１１は本発明にかかる電気掃除機に用いられる排気枠部材の枠状部材の他の例を示す正面図であり、図１２は図１１に示す枠状部材を横方向に切断したときの拡大断面図である。第１実施形態の掃除機本体１において排気は、後方の上部に配置された排気フィルター１３から排気室１６に流入し、排気室１６を後方から前方に流れるとともに、枠状部材１９の通気孔２１から布材２０を介して掃除機本体１の外部に排気として排出される。
【００５５】
このとき、空気は排気室１６内で拡散され、布材２０によって流速が低減されて排出される。しかしながら、排気室１６において、電動送風機２が位置する掃除機本体１後部側に排気風の流量が多くなり、部分的に排気枠部材４を通過する排気の流速が増大する箇所が生じ、これにより、排気が掃除機本体１の周囲の微粒子を巻き上げてしまう不具合が発生する。
【００５６】
そこで、図１１、図１２に示す排気枠部材１３ｅのように、フィルター収納室１８から排気室１６に流入する空気が排気枠部材１３ｅに比較的集中して当たる部分の通気孔２１ｅに、空気を排気室１６の前方に送るための排気ガイド部３４が形成されている。なお、排気枠部材１３ｅは、比較的集中して排気が当たる部分の通気孔２１ｅに排気ガイド部３４が形成されている以外は排気枠部材４と同じ構成を有するものであり、実質上同じ部分には、同じ符号が付してある。
【００５７】
排気ガイド部３４は、排気枠部材１３ｅが掃除機本体１に取り付けられたときに、通気孔２１ｅの後方側を塞ぐように形成されて、排気ガイド部３４は排気枠部材１３ｅの枠状部材１９の排気上流側の面が滑らかになるように形成されているとともに、排気ガイド部３４の厚さが、通気孔２１ｅの排気流れ方向の奥行きよりも薄くなるように形成されている。排気ガイド部３２ｅは厚さを薄く形成することにより、通気孔２１ｅは排気上流側の開口面積が小さく、排気下流側の面積が急激に大きくなる形状を有しているので、通気孔２１ｅを通過する流量が少なくなるとともに、排気枠部材１３ｅから流出するときの流速が急激に遅くなる。
【００５８】
以上のように排気ガイド部３４が形成されていることで、フィルター収納室１８から排気室１６に流入された空気が、排気枠部材１３ｅ衝突したときに、一部は排気ガイド部３４が形成されている通気孔２１ｅの隙間より流出し、残りは排気ガイド部３４にて流れの方向が曲げられ、枠状部材１９ｅの排気上流側の面に沿って、前方に流れる。また、排気ガイド部３４が枠状部材１９ｅの排気上流側の面と円滑に接続されているので、空気が枠状部材１９ｅの排気上流側の面に沿って流れるときに乱れ（乱流、渦）が発生しにくい。
【００５９】
これにより、排気室１６を排気枠部材１３ｅの排気上流側に沿って流れる空気は安定して掃除機本体１の前方に流れる。通気孔２１ｅ及び排気ガイド部３４が形成されていない通気孔２１を通過した空気は、布材２０にて拡散され、さらに流速が遅くなって掃除機本体１外部に排気として排出される。これにより、掃除機本体からの排気が、掃除機本体の周囲の埃塵を巻き上げるのを抑制することができる。また、排気流速が低いので排気による騒音のレベルも低くなる。
【産業上の利用可能性】
【００６０】
騒音を低減することができるとともに、排気によって周囲に分布しているごみ、埃、塵等を巻き上がらないようにする電気掃除機に採用することが可能である。
【図面の簡単な説明】
【００６１】
【図１】本発明にかかる掃除機本体の側面図である。
【図２】図１に示す掃除機本体の側断面図である。
【図３】図１に示す掃除機本体を横方向に切断した断面を前方から見たときの断面図である。
【図４】図１に示す掃除機本体の蓋部を開いた状態の前面側から見た斜視図である。
【図５】図１に示す掃除機本体に備えられている排気枠部材の正面図である。
【図６】図５に示す排気枠部材の平面図である。
【図７】排気枠部材が取り付けられた状態の拡大断面図である。
【図８】本発明にかかる排気枠部材が取り付けられた状態の拡大断面図である。
【図９】本発明にかかる排気枠部材の取付部の拡大断面図である。
【図１０】図９に示す凸部の他の例を示す拡大断面図である。
【図１１】本発明にかかる電気掃除機に用いられる排気枠部材の他の例を示す正面図である。
【図１２】図１１に示す排気枠部材を横方向に切断したときの拡大断面図である。
【符号の説明】
【００６２】
１  掃除機本体
２  蓋部
３  集塵室
４  電動送風機
５  集塵ケース
８  ケースアッパー
９  ケースカバー
１１  モータカバー
１３  排気枠部材
１４  支持部
１５  押え部
１７  排気フィルター
１９  枠状部材
２０  布材
２１  通気孔
２２  段差部
２３  接着部
２４  凹溝
２５  緩衝部材
２６  係合爪部
２７  係合部
２８  アッパーリブ
２９  カバーリブ
３０  凸部
３１  凹部
３２  凸部
３３  凹部
【図１】
2010051458.tif 000003
【図２】
2010051458.tif 000004
【図３】
2010051458.tif 000005
【図４】
2010051458.tif 000006
【図５】
2010051458.tif 000007
【図６】
2010051458.tif 000008
【図７】
2010051458.tif 000009
【図８】
2010051458.tif 000010
【図９】
2010051458.tif 000011
【図１０】
2010051458.tif 000012
【図１１】
2010051458.tif 000013
【図１２】
2010051458.tif 000014